(57)【要約】【課題】簡易な構成により、ゲート電圧の変動に起因するフリッカの発生を抑制することのできる表示装置を実現する。【解決手段】共通電極駆動電圧直流レベル作成回路４０は、共通電極直流電圧ＶｃｏｍＤＣを決定するための各種設定値を保持する共通電極駆動電圧直流レベル設定用レジスタ４１と初期Ａ／Ｄコンバータ値設定用レジスタ４７と係数用レジスタ４８とを備える。Ａ／Ｄコンバータ４４は、ゲートハイ電圧ＶｇｈにＡＤ変換を施してデジタル値ＶｇｈＤＣを出力する。そして、各種設定値とデジタル値ＶｇｈＤＣに基づいて、差分計算部４５と乗算部４６と加算部４２とによって共通電極駆動電圧の直流レベルが決定される。【選択図】図１
2008076911.tif 000002
【特許請求の範囲】
【請求項１】
複数の走査信号線と複数の映像信号線との交差点に対応して設けられた画像を表示するための複数の画素電極と当該複数の画素電極に共通的に設けられた共通電極との間に前記画像に応じて電圧を印加することにより前記画像を表示する表示装置の駆動回路であって、
前記複数の走査信号線に印加される電圧の変化の大きさに影響を与える所定のモニタリング用の電圧を受け取り、当該受け取った電圧のレベルに応じて、前記共通電極に印加されるべき共通電極駆動電圧の直流レベルの電圧を出力する共通電極駆動電圧直流レベル生成部を備えていることを特徴とする、駆動回路。
【請求項２】
前記共通電極駆動電圧直流レベル生成部は、
前記所定のモニタリング用の電圧を受け取り、当該受け取った電圧のレベルに応じた値を検出値として出力するモニタリング用電圧入力部と、
前記共通電極駆動電圧の直流レベルを決定する際の基準となる値を直流レベル決定用基準値として保持する直流レベル決定用基準値保持部と、
前記共通電極駆動電圧の直流レベルを決定する際に前記検出値との差を求めるための値を差計算用値として保持する差計算用値保持部と、
前記検出値と前記差計算用値との差を算出し、当該差を示す値を差値として出力する差計算部と、
前記共通電極駆動電圧の直流レベルを決定するための所定の係数を保持する係数保持部と、
前記差値と前記係数との積を算出し、当該積を積値として出力する積計算部と、
前記直流レベル決定用基準値と前記積値との和を算出し、当該和を前記共通電極駆動電圧の直流レベルを示す直流レベル値として出力する和計算部と
前記直流レベル値に基づいて前記共通電極駆動電圧の直流レベルの電圧を出力する共通電極直流電圧出力部と
を備えていることを特徴とする、請求項１に記載の駆動回路。
【請求項３】
前記直流レベル決定用基準値と前記差計算用値と前記係数とが予め格納された不揮発性のメモリを更に備え、
動作開始後に前記不揮発性のメモリに予め格納されている直流レベル決定用基準値と差計算用値と係数とがそれぞれ前記直流レベル決定用基準値保持部と前記差計算用値保持部と前記係数保持部とに取り込まれることを特徴とする、請求項２に記載の駆動回路。
【請求項４】
前記モニタリング用電圧入力部は、前記モニタリング用の電圧をアナログ値として受け取り当該アナログ値をデジタル値に変換して前記検出値として出力するＡＤ変換器であって、
前記共通電極直流電圧出力部は、前記直流レベル値をデジタル値として受け取り当該デジタル値をアナログ値に変換して前記共通電極駆動電圧の直流レベルの電圧として出力するＤＡ変換器であることを特徴とする、請求項２または３に記載の駆動回路。
【請求項５】
前記モニタリング用の電圧は、前記複数の走査信号線を駆動する走査信号を生成するためのハイレベルの電圧とロウレベルの電圧のうちのハイレベルの電圧であることを特徴とする、請求項１から４までのいずれか１項に記載の駆動回路。
【請求項６】
前記モニタリング用の電圧は、所定の電源電圧であることを特徴とする、請求項１から４までのいずれか１項に記載の駆動回路。
【請求項７】
前記モニタリング用の電圧は、前記ＡＤ変換器の基準電圧であって、
前記基準電圧のレベルは所定の電源電圧のレベルの変動に応じて変動することを特徴とする、請求項４に記載の駆動回路。
【請求項８】
複数の走査信号線と複数の映像信号線との交差点に対応して設けられた画像を表示するための複数の画素電極と当該複数の画素電極に共通的に設けられた共通電極との間に前記画像に応じて電圧を印加することにより前記画像を表示する表示装置であって、
前記複数の走査信号線に印加される電圧の変化の大きさに影響を与える所定のモニタリング用の電圧を受け取り、当該受け取った電圧のレベルに応じて、前記共通電極に印加されるべき共通電極駆動電圧の直流レベルの電圧を出力する共通電極駆動電圧直流レベル生成部を備えていることを特徴とする、表示装置。
【請求項９】
前記共通電極駆動電圧直流レベル生成部は、
前記所定のモニタリング用の電圧を受け取り、当該受け取った電圧のレベルに応じた値を検出値として出力するモニタリング用電圧入力部と、
前記共通電極駆動電圧の直流レベルを決定する際の基準となる値を直流レベル決定用基準値として保持する直流レベル決定用基準値保持部と、
前記共通電極駆動電圧の直流レベルを決定する際に前記検出値との差を求めるための値を差計算用値として保持する差計算用値保持部と、
前記検出値と前記差計算用値との差を算出し、当該差を示す値を差値として出力する差計算部と、
前記共通電極駆動電圧の直流レベルを決定するための所定の係数を保持する係数保持部と、
前記差値と前記係数との積を算出し、当該積を積値として出力する積計算部と、
前記直流レベル決定用基準値と前記積値との和を算出し、当該和を前記共通電極駆動電圧の直流レベルを示す直流レベル値として出力する和計算部と
前記直流レベル値に基づいて前記共通電極駆動電圧の直流レベルの電圧を出力する共通電極直流電圧出力部と
を備えていることを特徴とする、請求項８に記載の表示装置。
【請求項１０】
前記直流レベル決定用基準値と前記差計算用値と前記係数とが予め格納された不揮発性のメモリを更に備え、
動作開始後に前記不揮発性のメモリに予め格納されている直流レベル決定用基準値と差計算用値と係数とがそれぞれ前記直流レベル決定用基準値保持部と前記差計算用値保持部と前記係数保持部とに取り込まれることを特徴とする、請求項９に記載の表示装置。
【請求項１１】
前記モニタリング用電圧入力部は、前記モニタリング用の電圧をアナログ値として受け取り当該アナログ値をデジタル値に変換して前記検出値として出力するＡＤ変換器であって、
前記共通電極直流電圧出力部は、前記直流レベル値をデジタル値として受け取り当該デジタル値をアナログ値に変換して前記共通電極駆動電圧の直流レベルの電圧として出力するＤＡ変換器であることを特徴とする、請求項９または１０に記載の表示装置。
【請求項１２】
前記モニタリング用の電圧は、前記複数の走査信号線を駆動する走査信号を生成するためのハイレベルの電圧とロウレベルの電圧のうちのハイレベルの電圧であることを特徴とする、請求項８から１１までのいずれか１項に記載の表示装置。
【請求項１３】
前記モニタリング用の電圧は、所定の電源電圧であることを特徴とする、請求項８から１１までのいずれか１項に記載の表示装置。
【請求項１４】
前記モニタリング用の電圧は、前記ＡＤ変換器の基準電圧であって、
前記基準電圧のレベルは所定の電源電圧のレベルの変動に応じて変動することを特徴とする、請求項１１に記載の表示装置。
【請求項１５】
複数の走査信号線と複数の映像信号線との交差点に対応して設けられた画像を表示するための複数の画素電極と当該複数の画素電極に共通的に設けられた共通電極との間に前記画像に応じて電圧を印加することにより前記画像を表示する表示装置の駆動方法であって、
前記複数の走査信号線に印加される電圧の変化の大きさに影響を与える所定のモニタリング用の電圧を受け取り、当該受け取った電圧のレベルに応じて、前記共通電極に印加されるべき共通電極駆動電圧の直流レベルの電圧を出力する共通電極駆動電圧直流レベル生成ステップを備えていることを特徴とする、駆動方法。
【請求項１６】
前記表示装置は、
前記共通電極駆動電圧の直流レベルを決定する際の基準となる値を直流レベル決定用基準値として保持する直流レベル決定用基準値保持部と、
前記共通電極駆動電圧の直流レベルを決定する際の計算用の値を差計算用値として保持する差計算用値保持部と、
前記共通電極駆動電圧の直流レベルを決定するための所定の係数を保持する係数保持部と
を有し、
前記共通電極駆動電圧直流レベル生成ステップは、
前記所定のモニタリング用の電圧を受け取り、当該受け取った電圧のレベルに応じた値を検出値として出力するモニタリング用電圧入力ステップと、
前記検出値と前記差計算用値との差を算出し、当該差を示す値を差値として出力する差計算ステップと、
前記差値と前記係数との積を算出し、当該積を積値として出力する積計算ステップと、
前記直流レベル決定用基準値と前記積値との和を算出し、当該和を前記共通電極駆動電圧の直流レベルを示す直流レベル値として出力する和計算ステップと、
前記直流レベル値に基づいて前記共通電極駆動電圧の直流レベルの電圧を出力する共通電極直流電圧出力ステップと
を含むことを特徴とする、請求項１５に記載の駆動方法。
【請求項１７】
前記表示装置は、前記直流レベル決定用基準値と前記差計算用値と前記係数とを予め格納する不揮発性のメモリを備え、
前記共通電極駆動電圧直流レベル生成ステップは、前記表示装置の動作開始後に前記不揮発性のメモリに予め格納されている直流レベル決定用基準値と差計算用値と係数とをそれぞれ前記直流レベル決定用基準値保持部と前記差計算用値保持部と前記係数保持部とに取り込むステップを更に含むことを特徴とする、請求項１６に記載の駆動方法。
【請求項１８】
前記モニタリング用電圧入力ステップでは、前記モニタリング用の電圧がアナログ値として受け取られ当該アナログ値がデジタル値に変換されて前記検出値として出力され、
前記共通電極直流電圧出力ステップでは、前記直流レベル値がデジタル値として受け取られ当該デジタル値がアナログ値に変換されて前記共通電極駆動電圧の直流レベルの電圧として出力されることを特徴とする、請求項１６または１７に記載の駆動方法。
【請求項１９】
前記モニタリング用の電圧は、前記複数の走査信号線を駆動する走査信号を生成するためのハイレベルの電圧とロウレベルの電圧のうちのハイレベルの電圧であることを特徴とする、請求項１５から１８までのいずれか１項に記載の駆動方法。
【請求項２０】
前記モニタリング用の電圧は、所定の電源電圧であることを特徴とする、請求項１５から１８までのいずれか１項に記載の駆動方法。
【請求項２１】
前記モニタリング用の電圧は、前記モニタリング用電圧入力ステップで前記アナログ値が前記デジタル値に変換される際の基準電圧であって、
前記基準電圧のレベルは所定の電源電圧のレベルの変動に応じて変動することを特徴とする、請求項１８に記載の駆動方法。
【発明の詳細な説明】
【技術分野】
【０００１】
本発明は、アクティブマトリクス型の表示装置に関し、更に詳しくは、そのような表示装置において共通電極に共通電極駆動電圧を与えるための駆動回路および駆動方法に関する。
【背景技術】
【０００２】
従来より、アクティブマトリクス型の液晶表示装置においては、パネル毎に、共通電極を駆動するための電圧（以下、「共通電極駆動電圧」という。）の直流レベルの調整が行われている。パネル毎に調整が行われる理由は、以下のとおりである。ゲートバスライン（走査信号線）とソースバスライン（映像信号線）との交差点に対応して設けられているＴＦＴがオンからオフに切り替わる際に、ＴＦＴの寄生容量の影響によってドレイン電圧が変化し、それに伴って画素電極と共通電極との間の電位差が変化する。このため、画素電極と共通電極との間で交流化駆動のための適正な電位差を保つために共通電極駆動電圧の補正が行われる。上述のようなドレイン電圧の変化は一般的に引込電圧と呼ばれているが、ＴＦＴの寄生容量の影響による引込電圧の大きさは、パネルの製造ばらつきによりパネル毎に異なる。従って、パネル毎に共通電極駆動電圧の直流レベルの調整が行われている。
【０００３】
共通電極駆動電圧の直流レベルの調整は、一般的には調整用の可変抵抗器を用いて行われているが、図３に示すような直流レベル調整用の回路（以下、「直流レベル調整回路」という。）８００を駆動回路に内蔵している液晶表示装置もある。
【０００４】
図３に示す直流レベル調整回路８００を備える液晶表示装置は、直流レベル調整回路８００の他、不揮発メモリ８１０と共通電極駆動電圧作成回路８２０を備えている。不揮発メモリ８１０には、共通電極駆動電圧の直流レベルを設定するための共通電極駆動電圧直流レベル設定値Ｖｓｅｔを格納する共通電極駆動電圧直流レベル設定値保存部８１１が含まれている。直流レベル調整回路８００には、上述の共通電極駆動電圧直流レベル設定値Ｖｓｅｔをこの液晶表示装置の動作中保持するための共通電極駆動電圧直流レベル設定用レジスタ８０１と共通電極駆動電圧直流レベル設定値ＶｓｅｔをＤ／Ａ変換して共通電極駆動電圧の直流レベルを示す電圧（以下、「共通電極直流電圧」という。）ＶｃｏｍＤＣを生成するためのＤ／Ａコンバータ８０２とが含まれている。このような構成において、共通電極駆動電圧直流レベル設定値８１１に保存されている共通電極駆動電圧直流レベル設定値Ｖｓｅｔが直流レベル調整回路８００に読み込まれ、それがＤ／Ａコンバータ８０２によってＤ／Ａ変換されることによって、共通電極直流電圧ＶｃｏｍＤＣが生成される。なお、共通電極駆動電圧が直流電圧の場合には、交流電圧を生成するための共通電極駆動電圧作成回路８２０に代えて、共通電極直流電圧ＶｃｏｍＤＣの駆動能力を高めるためのバッファ等が設けられている。
【０００５】
図３に示す構成によると、可変抵抗器の抵抗値の調整が不要となるので、共通電極直流電圧ＶｃｏｍＤＣの調整の自動化が容易になる。また、可変抵抗器を用いた構成の場合には調整用のドライバを取り除く際の抵抗値の変化等があるが、図３に示す構成によると、データを上書きしない限り設定値（共通電極駆動電圧直流レベル設定値Ｖｓｅｔ）が変わることはない。さらに、設定値のデジタルデータとしての保存が容易であるので、量産時のパネル特性のばらつきのデータの取得や前工程へのフィードバックが容易である。
【０００６】
ところで、ＴＦＴがオン状態からオフ状態に切り替わる際の引込電圧ΔＶは、次式（１）で示される。
ΔＶ＝（Ｃｇｄ／（Ｃｇｄ＋Ｃｌｃ＋Ｃｓ））×ΔＶｇ      ・・・（１）
ここで、ＣｇｄはＴＦＴのゲート−ドレイン間の寄生容量、Ｃｌｃは液晶容量、Ｃｓは補助容量、ΔＶｇはゲート電圧差（ゲートオン時の電圧とゲートオフ時の電圧との差）である。
【０００７】
上式（１）に示すように、引込電圧ΔＶの大きさはゲート電圧差ΔＶｇに依存している。このため、ゲート電圧が変動すると、上記引込電圧ΔＶも変化するため、フリッカが生じる。そこで、フリッカの発生を抑止するために、ゲート電圧が変動することのないよう定電圧回路が採用されている。
【０００８】
しかし、ゲートオン時の電圧（以下、「ゲートハイ電圧」という。）やゲートオフ時の電圧（以下、「ゲートロウ電圧」という。）は特定の大きさの電圧に限られるものではない。例えば、ＴＦＴの特性上、ＴＦＴをオン状態にするために充分な電圧が１４Ｖであれば、ゲートハイ電圧は１４Ｖであっても１５Ｖであっても良い。ＴＦＴをオフ状態にする際のゲートロウ電圧についても同様である。このため、フリッカ等の表示不良が生じない範囲であれば、ゲートハイ電圧やゲートロウ電圧は変動しても問題はない。そこで、図４に示すような電源生成回路９００を備える構成により共通電極駆動電圧を作成することも考えられる。
【０００９】
図４は、電源生成回路９００の構成を示すブロック図である。この電源生成回路９００は、レギュレータ９１０と階調回路９１１と共通電極駆動電圧作成回路９１２とゲートハイ電圧作成部９２０とゲートロウ電圧作成部９３０とを備えている。この電源生成回路９００には、４．９Ｖから５．１Ｖの間で変動する電源電圧ＶＤＤが供給される。レギュレータ９１０は、電源電圧ＶＤＤに基づいて、４．５Ｖの安定した電圧（定電圧）ＶＲを出力する。階調回路９１１は、定電圧ＶＲに基づいて階調電圧を生成する。共通電極駆動電圧作成回路９１２は、定電圧ＶＲに基づいて共通電極駆動電圧を生成する。
【００１０】
ゲートハイ電圧作成部９２０は、電源電圧ＶＤＤを３倍にした電圧をゲートハイ電圧Ｖｇｈとして出力する。その結果、１４．７Ｖ〜１５．３Ｖのゲートハイ電圧Ｖｇｈがゲートハイ電圧作成部９２０から出力される。ゲートロウ電圧作成部９３０は、電源電圧ＶＤＤを−２倍にした電圧をゲートロウ電圧Ｖｇｌとして出力する。その結果、−１０．２〜−９．８Ｖのゲートロウ電圧Ｖｇｌがゲートロウ電圧作成部９３０から出力される。なお、ここでは、ゲートハイ電圧Ｖｇｈとして１４Ｖ以上の電圧が必要であるものとして説明する。
【００１１】
図４に示す構成において、ゲートハイ電圧Ｖｇｈおよびゲートロウ電圧Ｖｇｌについては簡易な構成のチャージポンプ回路で作成すると効率的である。その際、レギュレータ９１０で生成される定電圧ＶＲを３倍にしてもゲートハイ電圧Ｖｇｈとして必要な１４Ｖの電圧は得られない。一方、電源電圧ＶＤＤを３倍にすると、１４．７Ｖ〜１５．３Ｖの電圧が得られる。そこで、図４に示すように、ゲートハイ電圧Ｖｇｈは電源電圧ＶＤＤにより生成され、同様に、ゲートロウ電圧Ｖｇｌも電源電圧ＶＤＤにより生成されている。一方、階調電圧や共通電極駆動電圧については、電圧レベルの変動による表示画像への影響が大きいので、レギュレータ９１０から出力される定電圧ＶＲにより生成されている。
【００１２】
ここで、上式（１）において、右辺の（Ｃｇｄ／（Ｃｇｄ＋Ｃｌｃ＋Ｃｓ））をα（以下、この値を「α値」という。）とする。このとき、α値が０．０４であれば、電源電圧ＶＤＤ、ゲート電圧差ΔＶｇ、および引込電圧ΔＶの最大値、最小値はそれぞれ図５に示すとおりとなる。引込電圧ΔＶの変動の大きさ（最大値と最小値との差）については、０．０４Ｖ（４０ｍＶ）となっている。また、ソース信号がプラス極性の場合、引込電圧ΔＶが大きいほど液晶層に印加される電圧が小さくなるところ、図５に示すようにゲート電圧差ΔＶｇが大きいほど引込電圧ΔＶが大きくなっているので、ゲート電圧差ΔＶｇが大きくなれば液晶層に印加される電圧は小さくなる。
【００１３】
上述のように、上記図４に示す構成では、電源電圧ＶＤＤの変動に起因する引込電圧ΔＶの変動の大きさは４０ｍＶとなっている。一般的にフリッカが生じていない状態から共通電極駆動電圧を５０ｍＶずらす（電圧レベルを変える）とフリッカが生じることから、上述の構成では電源電圧ＶＤＤの変動に起因するフリッカは生じないものと考えられる。なお、例えば定電圧ダイオードを用いた定電圧作成回路でゲートハイ電圧Ｖｇｈやゲートロウ電圧Ｖｇｌを作成することにより上記引込電圧ΔＶの変動の大きさを更に小さくすることもできるが、必要な部品数が多くなる。
【特許文献１】特開平５−３５２２６号公報
【発明の開示】
【発明が解決しようとする課題】
【００１４】
ところが、上記α値を決定する各容量には、ばらつきがある。特に、液晶容量Ｃｌｃについては、液晶に印加する電圧の大きさによって変化する。このため、液晶容量Ｃｌｃの変化に起因して引込電圧ΔＶの変動が大きくなってフリッカが生じることもある。このようなフリッカの発生は、歩留まりを低下させる原因となる。
【００１５】
また、共通電極駆動電圧の電圧レベルとして最も好ましい電圧値を中心にプラスマイナス５０ｍＶの範囲でフリッカが視認されないことから、目視による調整では、共通電極駆動電圧が好適な値に調整（設定）されないことが考えられる。そのような場合、ゲート電圧が大きく変動するとフリッカが生じるおそれがある。このため、調整の精度を高めることや広い電圧範囲でフリッカ発生の有無を確認することが必要となる。
【００１６】
さらに、液晶表示装置においては、ゲート信号のなまりの影響により、ゲートドライバから近い位置とゲートドライバから遠い位置とでは上記引込電圧ΔＶの大きさが異なることが知られている。このように位置によって引込電圧ΔＶの大きさが異なるので、フリッカの見え方も位置によって異なることになる。従って、調整の際にパネル内の全ての場所でフリッカ発生の有無を確認することが必要となる。
【００１７】
さらにまた、図４に示した電源生成回路９００では電源電圧ＶＤＤは４．９Ｖ〜５．１Ｖとなっているが、実際にはこのように変動量の小さい電圧を得ることは容易ではない。
【００１８】
そこで、本発明は、簡易な構成により、ゲート電圧の変動に起因するフリッカの発生を抑制することのできる表示装置を実現することを目的とする。
【課題を解決するための手段】
【００１９】
第１の発明は、複数の走査信号線と複数の映像信号線との交差点に対応して設けられた画像を表示するための複数の画素電極と当該複数の画素電極に共通的に設けられた共通電極との間に前記画像に応じて電圧を印加することにより前記画像を表示する表示装置の駆動回路であって、
前記複数の走査信号線に印加される電圧の変化の大きさに影響を与える所定のモニタリング用の電圧を受け取り、当該受け取った電圧のレベルに応じて、前記共通電極に印加されるべき共通電極駆動電圧の直流レベルの電圧を出力する共通電極駆動電圧直流レベル生成部を備えていることを特徴とする。
【００２０】
第２の発明は、第１の発明において、
前記共通電極駆動電圧直流レベル生成部は、
前記所定のモニタリング用の電圧を受け取り、当該受け取った電圧のレベルに応じた値を検出値として出力するモニタリング用電圧入力部と、
前記共通電極駆動電圧の直流レベルを決定する際の基準となる値を直流レベル決定用基準値として保持する直流レベル決定用基準値保持部と、
前記共通電極駆動電圧の直流レベルを決定する際に前記検出値との差を求めるための値を差計算用値として保持する差計算用値保持部と、
前記検出値と前記差計算用値との差を算出し、当該差を示す値を差値として出力する差計算部と、
前記共通電極駆動電圧の直流レベルを決定するための所定の係数を保持する係数保持部と、
前記差値と前記係数との積を算出し、当該積を積値として出力する積計算部と、
前記直流レベル決定用基準値と前記積値との和を算出し、当該和を前記共通電極駆動電圧の直流レベルを示す直流レベル値として出力する和計算部と
前記直流レベル値に基づいて前記共通電極駆動電圧の直流レベルの電圧を出力する共通電極直流電圧出力部と
を備えていることを特徴とする。
【００２１】
第３の発明は、第２の発明において、
前記直流レベル決定用基準値と前記差計算用値と前記係数とが予め格納された不揮発性のメモリを更に備え、
動作開始後に前記不揮発性のメモリに予め格納されている直流レベル決定用基準値と差計算用値と係数とがそれぞれ前記直流レベル決定用基準値保持部と前記差計算用値保持部と前記係数保持部とに取り込まれることを特徴とする。
【００２２】
第４の発明は、第２または第３の発明において、
前記モニタリング用電圧入力部は、前記モニタリング用の電圧をアナログ値として受け取り当該アナログ値をデジタル値に変換して前記検出値として出力するＡＤ変換器であって、
前記共通電極直流電圧出力部は、前記直流レベル値をデジタル値として受け取り当該デジタル値をアナログ値に変換して前記共通電極駆動電圧の直流レベルの電圧として出力するＤＡ変換器であることを特徴とする。
【００２３】
第５の発明は、第１から第４までのいずれかの発明において、
前記モニタリング用の電圧は、前記複数の走査信号線を駆動する走査信号を生成するためのハイレベルの電圧とロウレベルの電圧のうちのハイレベルの電圧であることを特徴とする。
【００２４】
第６の発明は、第１から第４までのいずれかの発明において、
前記モニタリング用の電圧は、所定の電源電圧であることを特徴とする。
【００２５】
第７の発明は、第４の発明において、
前記モニタリング用の電圧は、前記ＡＤ変換器の基準電圧であって、
前記基準電圧のレベルは所定の電源電圧のレベルの変動に応じて変動することを特徴とする。
【００２６】
第８の発明は、複数の走査信号線と複数の映像信号線との交差点に対応して設けられた画像を表示するための複数の画素電極と当該複数の画素電極に共通的に設けられた共通電極との間に前記画像に応じて電圧を印加することにより前記画像を表示する表示装置であって、
前記複数の走査信号線に印加される電圧の変化の大きさに影響を与える所定のモニタリング用の電圧を受け取り、当該受け取った電圧のレベルに応じて、前記共通電極に印加されるべき共通電極駆動電圧の直流レベルの電圧を出力する共通電極駆動電圧直流レベル生成部を備えていることを特徴とする。
【００２７】
第９の発明は、第８の発明において、
前記共通電極駆動電圧直流レベル生成部は、
前記所定のモニタリング用の電圧を受け取り、当該受け取った電圧のレベルに応じた値を検出値として出力するモニタリング用電圧入力部と、
前記共通電極駆動電圧の直流レベルを決定する際の基準となる値を直流レベル決定用基準値として保持する直流レベル決定用基準値保持部と、
前記共通電極駆動電圧の直流レベルを決定する際に前記検出値との差を求めるための値を差計算用値として保持する差計算用値保持部と、
前記検出値と前記差計算用値との差を算出し、当該差を示す値を差値として出力する差計算部と、
前記共通電極駆動電圧の直流レベルを決定するための所定の係数を保持する係数保持部と、
前記差値と前記係数との積を算出し、当該積を積値として出力する積計算部と、
前記直流レベル決定用基準値と前記積値との和を算出し、当該和を前記共通電極駆動電圧の直流レベルを示す直流レベル値として出力する和計算部と
前記直流レベル値に基づいて前記共通電極駆動電圧の直流レベルの電圧を出力する共通電極直流電圧出力部と
を備えていることを特徴とする。
【００２８】
第１５の発明は、複数の走査信号線と複数の映像信号線との交差点に対応して設けられた画像を表示するための複数の画素電極と当該複数の画素電極に共通的に設けられた共通電極との間に前記画像に応じて電圧を印加することにより前記画像を表示する表示装置の駆動方法であって、
前記複数の走査信号線に印加される電圧の変化の大きさに影響を与える所定のモニタリング用の電圧を受け取り、当該受け取った電圧のレベルに応じて、前記共通電極に印加されるべき共通電極駆動電圧の直流レベルの電圧を出力する共通電極駆動電圧直流レベル生成ステップを備えていることを特徴とする。
【００２９】
第１６の発明は、第１５の発明において、
前記表示装置は、
前記共通電極駆動電圧の直流レベルを決定する際の基準となる値を直流レベル決定用基準値として保持する直流レベル決定用基準値保持部と、
前記共通電極駆動電圧の直流レベルを決定する際の計算用の値を差計算用値として保持する差計算用値保持部と、
前記共通電極駆動電圧の直流レベルを決定するための所定の係数を保持する係数保持部と
を有し、
前記共通電極駆動電圧直流レベル生成ステップは、
前記所定のモニタリング用の電圧を受け取り、当該受け取った電圧のレベルに応じた値を検出値として出力するモニタリング用電圧入力ステップと、
前記検出値と前記差計算用値との差を算出し、当該差を示す値を差値として出力する差計算ステップと、
前記差値と前記係数との積を算出し、当該積を積値として出力する積計算ステップと、
前記直流レベル決定用基準値と前記積値との和を算出し、当該和を前記共通電極駆動電圧の直流レベルを示す直流レベル値として出力する和計算ステップと、
前記直流レベル値に基づいて前記共通電極駆動電圧の直流レベルの電圧を出力する共通電極直流電圧出力ステップと
を含むことを特徴とする。
【発明の効果】
【００３０】
上記第１の発明によれば、走査信号線に印加される電圧の変化の大きさに影響を与えるモニタリング用の電圧に基づいて、共通電極駆動電圧の直流レベルの電圧（共通電極直流電圧）が生成される。表示装置においてはゲートオン時の電圧とゲートオフ時の電圧との差（ゲート電圧差）に応じて引込電圧が生じるところ、ゲート電圧差の変動によって引込電圧の大きさが変動してフリッカが発生するが、本発明ではゲート電圧差に影響を与える電圧をモニタリング用の電圧として当該モニタリング用の電圧に基づいて共通電極直流電圧が生成されるので、フリッカの発生が抑制されるように共通電極直流電圧の電圧レベルが調整される。
【００３１】
上記第２の発明によれば、計算用に予め保持されている各種設定値（直流レベル決定用基準値、差計算用値、係数）とモニタリング用の電圧とに基づいて共通電極直流電圧が生成される。このため、モニタリング用の電圧の変動に応じて、共通電極直流電圧の電圧レベルの調整が行われる。その際、モニタリング用の電圧に応じた検出値と差計算用値との差が大きくなるにしたがい直流レベル値と直流レベル決定用基準値との差が大きくなるように直流レベル値が決定される。すなわち、初期調整の際に各種設定値（直流レベル決定用基準値、差計算用値、係数）を保持しておけば、初期調整時と使用時との電圧差に応じて、ゲート電圧の電圧レベルの変動に起因するフリッカの発生が抑制されるように共通電極直流電圧の電圧レベルが調整される。
【００３２】
上記第３の発明によれば、表示装置の特性等に応じて、計算用の各種設定値を不揮発性のメモリに書き込むことができる。
【００３３】
上記第４の発明によれば、デジタル処理によって上記直流レベル値の算出が行われる。このため、簡易な構成で共通電極直流電圧の電圧レベルの調整を行うことができる。
【００３４】
上記第５の発明によれば、フリッカの原因であるゲート電圧がモニタリング用の電圧とされるので、直接的に、ゲート電圧の電圧レベルの変動に応じた共通電極直流電圧の電圧レベルの調整が行われる。
【００３５】
上記第６の発明によれば、比較的簡易な構成で共通電極直流電圧の電圧レベルの調整を行うことができる。
【００３６】
上記第７の発明によれば、モニタリング用電圧入力部の基準電圧の電圧レベルが変動する場合に、一定の電圧を外部からモニタリング用電圧入力部に与えることによって、共通電極直流電圧の電圧レベルの調整を行うことができる。
【発明を実施するための最良の形態】
【００３７】
以下、添付図面を参照しつつ本発明の一実施形態について説明する。
【００３８】
＜１．液晶表示装置の全体構成および動作＞
図２は、本発明の一実施形態に係る液晶表示装置の全体構成を示すブロック図である。この液晶表示装置は、表示制御回路２００とソースドライバ（映像信号線駆動回路）３００とゲートドライバ（走査信号線駆動回路）４００と表示部５００と共通電極駆動電圧作成回路６００と不揮発メモリ７００とを備えている。
【００３９】
表示部５００には、複数本（ｎ本）のソースバスライン（映像信号線）ＳＬ１〜ＳＬｎと、複数本（ｍ本）のゲートバスライン（走査信号線）ＧＬ１〜ＧＬｍと、それら複数本のソースバスラインＳＬ１〜ＳＬｎと複数本のゲートバスラインＧＬ１〜ＧＬｍとの交差点にそれぞれ対応して設けられた複数個（ｎ×ｍ個）の画素形成部（不図示）が含まれている。各画素形成部には、スイッチング素子としてのＴＦＴと、そのＴＦＴのドレイン端子に接続された画素電極と、上記複数個の画素形成部に共通的に設けられた共通電極および補助容量電極と、画素電極と共通電極とによって形成される液晶容量と、画素電極と補助容量電極とによって形成される補助容量とが含まれている。そして、液晶容量と補助容量とによって画素容量が形成されている。
【００４０】
表示制御回路２００は、外部から送られる画像データＤＡＴを受け取り、デジタル映像信号ＤＶと、表示部５００における画像表示を制御するためのソーススタートパルス信号ＳＳＰ、ソースクロック信号ＳＣＫ、ラッチストローブ信号ＬＳ、ゲートスタートパルス信号ＧＳＰ、およびゲートクロック信号ＧＣＫとを出力する。
【００４１】
ソースドライバ３００は、表示制御回路２００から出力されるデジタル映像信号ＤＶ、ソーススタートパルス信号ＳＳＰ、ソースクロック信号ＳＣＫ、およびラッチストローブ信号ＬＳを受け取り、各ソースバスラインＳＬ１〜ＳＬｎに駆動用映像信号を印加する。
【００４２】
ゲートドライバ４００は、表示制御回路２００から出力されるゲートスタートパルス信号ＧＳＰとゲートクロック信号ＧＣＫとに基づいて、アクティブな走査信号の各ゲートバスラインＧＬ１〜ＧＬｍへの印加を１垂直走査期間を周期として繰り返す。また、ゲートドライバ４００に含まれている共通電極駆動電圧直流レベル生成部としての共通電極駆動電圧直流レベル作成回路４０は、このゲートドライバ４００内で作成されるゲートハイ電圧と不揮発メモリ７００に保存されている各種設定値とに基づいて、共通電極駆動電圧Ｖｃｏｍを生成するための共通電極直流電圧ＶｃｏｍＤＣを生成し、出力する。なお、不揮発メモリ７００には、共通電極直流電圧ＶｃｏｍＤＣを作成するための各種設定値が予め格納されている。
【００４３】
共通電極駆動電圧作成回路６００は、共通電極駆動電圧直流レベル作成回路４０から出力される共通電極直流電圧ＶｃｏｍＤＣに基づいて交流の共通電極駆動電圧Ｖｃｏｍを出力する。
【００４４】
以上のようにして、各ソースバスラインＳＬ１〜ＳＬｎに駆動用映像信号が印加され、各ゲートバスラインＧＬ１〜ＧＬｍに走査信号が印加され、共通電極に共通電極駆動電圧Ｖｃｏｍが印加されることにより、表示部５００に画像が表示される。
【００４５】
＜２．共通電極駆動電圧直流レベル作成回路の構成および動作＞
図１は、本実施形態において、共通電極直流電圧ＶｃｏｍＤＣを作成するための回路（共通電極駆動電圧直流レベル作成回路）４０およびその周辺回路の構成を示すブロック図である。共通電極駆動電圧直流レベル作成回路４０は、共通電極駆動電圧直流レベル設定用レジスタ４１と加算部４２とＤ／Ａコンバータ４３とＡ／Ｄコンバータ４４と差分計算部４５と乗算部４６と初期Ａ／Ｄコンバータ値設定用レジスタ４７と係数用レジスタ４８とを有している。また、不揮発メモリ７００は、共通電極駆動電圧直流レベル設定値保存部７１と初期Ａ／Ｄコンバータ値設定値保存部７２と係数保存部７３とを有している。なお、Ａ／Ｄコンバータ４４の基準電圧は所定の基準電源電圧４．５Ｖであるものとする。
【００４６】
本実施形態においては、共通電極駆動電圧直流レベル設定用レジスタ４１によって直流レベル決定用基準値保持部が実現され、初期Ａ／Ｄコンバータ値設定用レジスタ４７によって差計算用値保持部が実現され、係数用レジスタ４８によって係数保持部が実現されている。また、Ａ／Ｄコンバータ４４によってモニタリング用電圧入力部が実現され、算分計算部４５によって差計算部が実現され、乗算部４６によって積計算部が実現され、加算部４２によって和計算部が実現され、Ｄ／Ａコンバータ４３によって共通電極直流電圧出力部が実現されている。
【００４７】
不揮発メモリ７００には、共通電極直流電圧ＶｃｏｍＤＣの初期調整が行われる際に各種設定値が格納される。具体的には、共通電極駆動電圧直流レベル設定値保存部７１には、初期調整によって設定された共通電極直流電圧ＶｃｏｍＤＣの値が共通電極駆動電圧直流レベル設定値Ｓｖｃｏｍとして格納され、初期Ａ／Ｄコンバータ値設定値保存部７２には、初期調整の際のゲートハイ電圧ＶｇｈのＡ／Ｄ変換後の値が初期Ａ／Ｄコンバータ値Ｓｃｎｖとして格納され、係数保存部７３には、パネルの特性に基づいて決定される係数Ｋが格納される。これら不揮発メモリ７００に格納されている各種設定値は、この液晶表示装置の動作が開始すると、共通電極駆動電圧直流レベル作成回路４０内の各レジスタ４１、４７、および４８に取り込まれる。
【００４８】
共通電極駆動電圧直流レベル設定用レジスタ４１は、この液晶表示装置の動作中、共通電極駆動電圧直流レベル設定値Ｓｖｃｏｍを保持する。初期Ａ／Ｄコンバータ値設定用レジスタ４７は、この液晶表示装置の動作中、初期Ａ／Ｄコンバータ値Ｓｃｎｖを保持する。係数用レジスタ４８は、この液晶表示装置の動作中、係数Ｋを保持する。
【００４９】
Ａ／Ｄコンバータ４４は、ゲートドライバ４００の内部で作成されたゲートハイ電圧Ｖｇｈをデジタル値に変換する。このように、本実施形態では、ゲートハイ電圧Ｖｇｈによってモニタリング用の電圧が実現されている。なお、ゲートハイ電圧ＶｇｈをＡ／Ｄコンバータ４４に取り込むタイミングについては、例えば垂直帰線期間など電源電圧の変動が小さい時にすることが好ましい。また、本実施形態では、Ａ／Ｄコンバータ４４の基準電圧は４．５Ｖであってゲートハイ電圧Ｖｇｈは約１５Ｖであるので、抵抗分割などによって予め低くされた電圧がＡ／Ｄコンバータ４４に入力される。以下においては、ゲートハイ電圧Ｖｇｈの６分の１の大きさの電圧がＡ／Ｄコンバータ４４に入力されるものとして説明する。
【００５０】
差分計算部４５は、Ａ／Ｄコンバータ４４から出力される（ゲートハイ電圧ＶｇｈのＡ／Ｄ変換後の）デジタル値ＶｇｈＤＣと初期Ａ／Ｄコンバータ値設定用レジスタ４７に保持されている初期Ａ／Ｄコンバータ値Ｓｃｎｖとの差を計算し、当該差Ｖｓａを出力する。乗算部４６は、差分計算部４５から出力される差Ｖｓａと係数用レジスタ４８に保持されている係数Ｋとの積を計算し、当該積Ｖｓｋを出力する。加算部４２は、共通電極駆動電圧直流レベル設定用レジスタ４１に保持されている共通電極駆動電圧直流レベル設定値Ｓｖｃｏｍと乗算部４６から出力される積Ｖｓｋとの和を計算し、当該和Ｖｗａを出力する。
【００５１】
Ｄ／Ａコンバータ４３は、加算部４２から出力されるデジタル値である和Ｖｗａを受け取り、それにＤ／Ａ変換を施す。このＤ／Ａ変換によって、共通電極駆動電圧の直流レベルを示す共通電極直流電圧ＶｃｏｍＤＣが生成される。その共通電極直流電圧ＶｃｏｍＤＣは、共通電極駆動電圧作成回路６００に与えられる。
【００５２】
共通電極駆動電圧作成回路６００では、共通電極直流電圧ＶｃｏｍＤＣに基づいて交流の共通電極駆動電圧Ｖｃｏｍが作成される。
【００５３】
＜３．共通電極直流電圧の作成例＞
次に、本実施形態における共通電極直流電圧ＶｃｏｍＤＣの作成例について説明する。なお、以下の説明においては、デジタル値を１０進数で表記する。
【００５４】
まず、共通電極直流電圧ＶｃｏｍＤＣの初期調整の際（例えば出荷前）に、不揮発メモリ７００への各種設定値の格納（書き込み）が行われる。初期調整の際、ゲートハイ電圧Ｖｇｈが１５．０Ｖであれば、その６分の１の大きさの電圧である２．５Ｖの電圧がＡ／Ｄコンバータ４４に入力される。ここで、上述したようにＡ／Ｄコンバータ４４の基準電圧が４．５Ｖであり、当該Ａ／Ｄコンバータ４４が８ビットの変換器であれば、次式（２）によって算出される値「１４２」が初期Ａ／Ｄコンバータ値Ｓｃｎｖとして初期Ａ／Ｄコンバータ値設定値保存部７２に格納される。
Ｓｃｎｖ＝２５５×（２．５／４．５）      ・・・（２）
【００５５】
また、この初期調整によって共通電極直流電圧ＶｃｏｍＤＣの値が「１２８」に設定されると、当該値「１２８」が共通電極駆動電圧直流レベル設定値Ｓｖｃｏｍとして共通電極駆動電圧直流レベル設定値保存部７１に格納される。さらに、パネルの特性に基づいて決定された係数Ｋの値が「−３／８」であれば、当該値「−３／８」が係数保存部７３に格納される。
【００５６】
上述のようにして初期調整が行われた後、この液晶表示装置が使用される際（例えば出荷後）には、以下のように動作する。
【００５７】
液晶表示装置が動作を開始すると、共通電極駆動電圧直流レベル設定値保存部７１に格納されている共通電極駆動電圧直流レベル設定値Ｓｖｃｏｍである「１２８」が共通電極駆動電圧直流レベル設定用レジスタ４１に取り込まれ、初期Ａ／Ｄコンバータ値設定値保存部７２に格納されている初期Ａ／Ｄコンバータ値Ｓｃｎｖである「１４２」が初期Ａ／Ｄコンバータ値設定用レジスタ４７に取り込まれ、係数保存部７３に格納されている係数Ｋである「−３／８」が係数用レジスタ４８に取り込まれる。
【００５８】
ここで、ゲートハイ電圧Ｖｇｈの電圧レベルが１５．９Ｖであるとすると、その６分の１の大きさの電圧である２．６５Ｖの電圧がＡ／Ｄコンバータ４４に入力される。そして、その２．６５Ｖの電圧がＡ／Ｄ変換され、次式（３）によって算出される値「１５０」が変換後のデジタル値ＶｇｈＤＣとしてＡ／Ｄコンバータ４４から出力される。
ＶｇｈＤＣ＝２５５×（２．６５／４．５）      ・・・（３）
【００５９】
差分計算部４５は、デジタル値ＶｇｈＤＣと初期Ａ／Ｄコンバータ値Ｓｃｎｖとの差Ｖｓａを次式（４）に示すように計算し、その計算結果の値「８」を出力する。
Ｖｓａ＝１５０−１４２      ・・・（４）
【００６０】
乗算部４６は、上述の差Ｖｓａと係数Ｋとの積Ｖｓｋを次式（５）に示すように計算し、その計算結果の値「−３」を出力する。
Ｖｓｋ＝８×（−３／８）      ・・・（５）
【００６１】
加算部４２は、上述の積Ｖｓｋと共通電極駆動電圧直流レベル設定値Ｓｖｃｏｍとの和Ｖｗａを次式（６）に示すように計算し、その計算結果の値「１２５」を出力する。
Ｖｗａ＝（−３）＋１２８      ・・・（６）
【００６２】
Ｄ／Ａコンバータ４３は、加算部４２から出力される和Ｖｗａである値「１２５」を受け取り、それに応じたアナログ電圧の共通電極直流電圧ＶｃｏｍＤＣを出力する。
【００６３】
ここで、ゲートハイ電圧Ｖｇｈの電圧レベルが１５．０Ｖである場合には、上述と同様の動作が行われた結果、値「１２８」に応じたアナログ電圧の共通電極直流電圧ＶｃｏｍＤＣがＤ／Ａコンバータ４３から出力される。また、ゲートハイ電圧Ｖｇｈの電圧レベルが１４．１Ｖである場合には、上述と同様の動作が行われた結果、値「１３１」に応じたアナログ電圧の共通電極直流電圧ＶｃｏｍＤＣがＤ／Ａコンバータ４３から出力される。このように、ゲートハイ電圧Ｖｇｈの電圧レベルに応じて異なる電圧レベルの共通電極直流電圧ＶｃｏｍＤＣがＤ／Ａコンバータ４３から出力される。
【００６４】
＜４．効果＞
本実施形態によると、差分計算部４５ではゲートハイ電圧ＶｇｈのＡ／Ｄ変換後のデジタル値ＶｇｈＤＣから初期Ａ／Ｄコンバータ値Ｓｃｎｖを減ずることによって差Ｖｓａが算出される。このため、ゲート電圧差（ゲートハイ電圧とゲートロウ電圧との差）が大きくなるにしたがい、差Ｖｓａは大きくなる。ここで、初期Ａ／Ｄコンバータ値設定値保存部７２には、初期調整の際のゲートハイ電圧Ｖｇｈに基づいて定められた初期Ａ／Ｄコンバータ値Ｓｃｎｖが格納されている。従って、初期調整の際よりもゲートハイ電圧Ｖｇｈが大きくなっていれば、差Ｖｓａは正の値となり、初期調整の際よりもゲートハイ電圧Ｖｇｈが小さくなっていれば、差Ｖｓａは負の値となる。
【００６５】
乗算部４６ではその差Ｖｓａと係数Ｋとを乗ずることによって積Ｖｓｋが算出されるところ、係数は負の値に設定されている。従って、差Ｖｓａが大きくなるにしたがい積Ｖｓｋは小さくなる。詳しくは、初期調整の際よりもゲートハイ電圧Ｖｇｈが大きくなっていれば、積Ｖｓｋは負の値となり、ゲート電圧差が大きくなるほど積Ｖｓｋの絶対値は大きくなる。一方、初期調整の際よりもゲートハイ電圧Ｖｇｈが小さくなっていれば、積Ｖｓｋは正の値となり、ゲート電圧差が小さくなるほど積Ｖｓｋの絶対値は大きくなる。そして、加算部４２では初期調整によって設定された共通電極駆動電圧直流レベル設定値Ｓｖｃｏｍに上述の積Ｖｓｋが加算され、その和Ｖｗａに基づいて共通電極直流電圧ＶｃｏｍＤＣが生成される。
【００６６】
以上より、ゲート電圧差が大きくなるにしたがい共通電極直流電圧ＶｃｏｍＤＣの電圧レベルは低くなる。このため、ゲート電圧差が大きくなって引込電圧が大きくなっても、液晶層に印加される電圧が小さくなることが抑制される。一方、ゲート電圧差が小さくなるにしたがい共通電極直流電圧ＶｃｏｍＤＣの電圧レベルは高くなる。このため、ゲート電圧差が小さくなって引込電圧が小さくなっても、液晶層に印加される電圧が大きくなることが抑制される。これにより、ゲート電圧が変動しても、共通電極直流電圧ＶｃｏｍＤＣが好適な値に設定（補正）され、フリッカの発生が抑制される。
【００６７】
また、従来はゲート電圧の変動によるフリッカの発生を抑制するために、変動の小さいゲート電圧を作成するための回路が必要であったが、本実施形態によるとそのような回路は不要となり、ゲート電圧を作成するための回路の設計が容易になる。これにより、ゲート電圧を作成するための回路に必要な部品数を削減することができる。
【００６８】
＜５．変形例＞
＜５．１  第１の変形例＞
上記実施形態においてはゲートハイ電圧ＶｇｈがＡ／Ｄコンバータ４４に入力される構成となっているが、本発明はこれに限定されない。モニタリング用の電圧としてゲートハイ電圧Ｖｇｈに代えて電源電圧ＶＤＤがＡ／Ｄコンバータ４４に入力される構成とすることもできる。なお、この構成の場合、電源電圧ＶＤＤの２分の１の大きさの電圧がＡ／Ｄコンバータ４４に入力されることになる。共通電極駆動電圧直流レベル作成回路４０の動作については、上記実施形態と同様である。
【００６９】
＜５．２  第２の変形例＞
また、Ａ／Ｄコンバータ４４の基準電圧が電源電圧ＶＤＤの変動に応じて変化するようにしておき、例えば４．５Ｖの所定の基準電源電圧がＡ／Ｄコンバータ４４に入力される構成とすることもできる。この場合、電源電圧ＶＤＤが大きくなるにしたがいＡ／Ｄコンバータ４４の基準電圧に対する基準電源電圧の相対的な大きさが小さくなるので、Ａ／Ｄコンバータ４４から出力される値は小さくなる。一方、電源電圧ＶＤＤが小さくなるにしたがいＡ／Ｄコンバータ４４の基準電圧に対する基準電源電圧の相対的な大きさが大きくなるので、Ａ／Ｄコンバータ４４から出力される値は大きくなる。このため、本変形例においては、係数Ｋを正の値にする必要がある。なお、本変形例においては、Ａ／Ｄコンバータ４４の基準電圧の変動に応じて当該Ａ／Ｄコンバータ４４から出力される値が変動するので、当該基準電圧によってモニタリング用の電圧が実現されている。
【００７０】
＜６．その他＞
上記実施形態においては、ゲートドライバ４００内に共通電極駆動電圧直流レベル作成回路４０を備える構成としているが、本発明はこれに限定されない。共通電極駆動電圧直流レベル作成回路４０をゲートドライバ４００の外部に備える構成にしても良い。また、不揮発メモリ７００をゲートドライバ４００に内蔵する構成にしても良い。さらに、共通電極駆動電圧作成回路６００をゲートドライバ４００内に備える構成にしても良い。このように、それぞれの機能がどのブロックに属するのかについては、本発明では限定されない。
【００７１】
また、係数Ｋの正負については、共通電極駆動電圧直流レベル作成回路４０の内部構成に応じて決定すれば良い。図１に示す差分計算部４５において、上記実施形態ではデジタル値ＶｇｈＤＣから初期Ａ／Ｄコンバータ値Ｓｃｎｖを減ずることにより差Ｖｓａを算出しているが、初期Ａ／Ｄコンバータ値Ｓｃｎｖからデジタル値ＶｇｈＤＣを減ずることにより差Ｖｓａを算出する構成の場合には係数Ｋは正の値になる。さらに、上記実施形態では不揮発メモリ７００内の係数保存部７３に係数Ｋが保存される構成となっているが、同一の種類のパネルであれば係数Ｋはほぼ同じ値になる。従って、係数Ｋとして固定の値がゲートドライバ４００内に保持される構成にしても良い。
【００７２】
さらに、図１に示す構成において、Ａ／Ｄコンバータ４４と差分計算部４５との間にＡ／Ｄコンバータ４４から出力されるデジタル値ＶｇｈＤＣを保持することのできるレジスタを備えるようにしても良い。レジスタに入力されるデジタル値ＶｇｈＤＣを量子化して平均値を算出し、差分計算部４５でその平均値と初期Ａ／Ｄコンバータ値Ｓｃｎｖとの差を算出する構成とすることによって、Ａ／Ｄコンバータ４４への入力電圧のリップルの影響を抑制することができる。
【００７３】
さらにまた、上記実施形態では共通電極駆動電圧直流レベル作成回路４０内でデジタル処理が行われる構成としているが、本発明はこれに限定されず、アナログ処理によって共通電極直流電圧ＶｃｏｍＤＣが生成される構成にすることもできる。
【図面の簡単な説明】
【００７４】
【図１】本発明の一実施形態に係る共通電極駆動電圧直流レベル作成回路の構成を示すブロック図である。
【図２】上記実施形態において、液晶表示装置の全体構成を示すブロック図である。
【図３】従来例における直流レベル調整回路の構成を示すブロック図である。
【図４】従来例における電源生成回路の構成を示すブロック図である。
【図５】従来例において、引込電圧などについて説明するための図である。
【符号の説明】
【００７５】
４０…共通電極駆動電圧直流レベル作成回路
４１…共通電極駆動電圧直流レベル設定用レジスタ
４２…加算部
４３…Ｄ／Ａコンバータ
４４…Ａ／Ｄコンバータ
４５…差分計算部
４６…乗算部
４７…初期Ａ／Ｄコンバータ値設定用レジスタ
４８…係数用レジスタ
２００…表示制御回路
３００…ソースドライバ
４００…ゲートドライバ
５００…表示部
６００…共通電極駆動電圧作成回路
７００…不揮発メモリ
Ｋ…係数
Ｓｃｎｖ…初期Ａ／Ｄコンバータ値
Ｓｖｃｏｍ…共通電極駆動電圧直流レベル設定値
Ｖｃｏｍ…共通電極駆動電圧
ＶｃｏｍＤＣ…共通電極直流電圧
【図１】
2008076911.tif 000003
【図２】
2008076911.tif 000004
【図３】
2008076911.tif 000005
【図４】
2008076911.tif 000006
【図５】
2008076911.tif 000007